(57)【要約】【課題】  本発明は、特に未だ健全な網膜域を有している中央の網膜（黄斑部）の疾病を処置するための眼球内レンズ装置に関する。【解決手段】  本発明の主要原理は、焦点を網膜の機能が阻害さている領域から機能可能な領域へと移動させるために、少なくとも一つの凸状のレンズ部材と多数のくさび状の切欠き体とを備えているレンズ装置を設けることである。  レンズ装置の厚みが、多数のくさび状の切欠き体を設けることにより明白に低減可能であることを見いだしたことは驚嘆すべきことである。
2007508875.tif 000002
【特許請求の範囲】
【請求項１】
目内にレンズ装置を固定するための固定部材を備えている視覚障害を処置するためのレンズ装置において、このレンズ装置が少なくとも一つの凸状のレンズ部材と多数のくさび状の切欠き体（３２）とを備えていることを特徴とするレンズ装置。
【請求項２】
凸状のレンズ部材がフレスネル−レンズ（４８）の扇形体として形成されていることを特徴とする請求項１に記載のレンズ装置。
【請求項３】
くさび状の切欠き体（３２）が異なった角度（３６，３７）を有していることを特徴とする請求項１或いは２に記載のレンズ装置。
【請求項４】
背面が切欠き体の充填体として積層体或いは保護層（３４）を備えており、この保護層（３４）が、光がレンズ装置を通過した後このレンズ装置との境界部において反射するのを阻止する、反射防止手段を備えていることを特徴とする請求項１から３までのいずか一つに記載のレンズ装置。
【請求項５】
積層体（３４）および／または装置の材料が房室水の屈折率と等しい屈折率を備えていることを特徴とする請求項１から４までのいずれか一つに記載のレンズ装置。
【請求項６】
レンズ装置が前房室と後房室（５４，５５）とを備えており、これらの房室が同様に透明な壁部によって隔離されていて、この場合網膜とは反対側の前房室が少なくとも一つの凸状の弾性部材を備えており、従ってこの弾性部材の曲率を調節することによりこの弾性部材の焦点距離が調節可能であるように構成されていることを特徴とする請求項１から５までの何れか一つに記載のレンズ装置。
【請求項７】
レンズ装置が網膜に面している後方の房室内に透明な弾性的な被覆体（５３）を、そして後方の房室が切欠き体（３２）のための、後方の房室の残余部に対して回転可能に支承されている担持体（６７）を備えており、従って切欠き体（３２）の傾斜面の傾斜角度が変更可能であるように構成されていることを特徴とする請求項６に記載のレンズ装置。
【請求項８】
担持体が回転に対して予張力下に固定されている部材（５０）と結合されていること特徴とする請求項７に記載のレンズ装置。
【請求項９】
房室（５４，５５）の各々が供給兼排出通路（７０）と結合されており、この供給兼排出通路に、それぞれ直接的に或いは間接的に一つの弁或いは複数の弁を介して少なくとも一つのポンプ給送手段或いは容積変更手段（５１，５２）が設けられており、従ってこのポンプ給送手段或いは容積変更手段が働いた際前房室（５４）の弾性的な凸状の部材および／または弾性的な被覆体（５３）が容積変更を強いられ、被覆体（５３）が変形することに誘起されて切欠き体（３２）のための担持体（６７）が回転させられるように構成されていることを特徴とする請求項６或いは８までのいずれか一つに記載のレンズ装置。
【請求項１０】
網膜に面している後方の房室（５５）内において、くさび状の切欠き体に、それぞれ一つの可動性で、透明な傾斜した面が設けられており、この面が回転部材（４９）により回転可能に支承されていて、この場合この回転可能に傾斜されている面の各々に弾性部材（５０）が設けられており、請求項９の構成に関連して、前房室に所属しているポンプ給送手段或いは容積変更手段（５１，５２）が働いた際傾斜した面が回転を強いられ、従って網膜上の焦点が位置ずれするように構成されていることを特徴とする請求項６或いは９に記載のレンズ装置。
【請求項１１】
各々の房室（５４，５５）が透明な媒体、特に液状媒体によって充填されており、この媒体の屈折率が房室水および／または透明な弾性的な被覆体（５３）および／または壁部（５６）の屈折率に適合されていることを特徴とする請求項１或いは１０に記載のレンズ装置。
【請求項１２】
容積変更手段或いはポンプ給送手段のためのエネルギー供給手段として、患者の体外からの、例えば電子および／または磁場によるエネルギー供給のための移植されたバッテリー或いは受信器および／または変換器が設けられていることを特徴とする請求項９に記載のレンズ装置。
【請求項１３】
くさび状の切欠き体或いは凸状のレンズ部分或いはフレスネル−レンズの扇形体を設けない代わりに、しかしまたこれらの組合せを設けない代わりに、他の光学的手段、例えば近傍視界域修正のためのレンズが設けられており、この場合これらのレンズを−レンズ装置の厚みが本発明により達せられ低減に基づいて−本発明によるレンズ装置の前方或いは後方において光線路内に設けることが可能であるように構成されていることを特徴とする請求項１から１２までのいずれか一つに記載のレンズ装置。
【請求項１４】
レンズ装置が網膜をＵＶ−光線から保護するための少なくとも一つのＵＶ−保護−フイルム（３８）を有していることを特徴とする請求項１から１３までのいずれか一つに記載のレンズ装置。
【請求項１５】
レンズ装置が硬膜トンネル−断面を縮小するために折り畳み可能に、或いは弾性的に構成されていることを特徴とする請求項１から１４までのいずれか一つに記載のレンズ装置。
【請求項１６】
レンズ装置が、一方の側において複数のくさび状の切欠き体を、および他方の側で一つの或いは複数のフレスネル−レンズ（４８）の重塁された球形の或いは非球形の扇形体を備えていることを特徴とする請求項１から１５までのいずか一つに記載のレンズ装置。
【請求項１７】
レンズ装置が、一方の側においては平坦に、そして他方の側においては重塁されたくさび状の切欠き体（３２）と一つの或いは複数のフレスネル−レンズ（４８）の重塁され球形の或いは非球形の扇形体を備えていることを特徴とする請求項１から１６までのいずれか一つに記載のレンズ装置。
【請求項１８】
ポンプ給送手段或いは容積変更手段が、このポンプ給送手段或いは容積変更手段によって消費された出力から、これらのポンプ給送手段或いは容積変更手段に抗して働く背圧を帰結推理することを可能にする特性曲線を有して、従って消費された出力を測定することにより目の内部の圧力を検出することが可能であるように構成されていることを特徴とする請求項９から１６までの何れか一つに記載のレンズ装置。
【発明の詳細な説明】
【技術分野】
【０００１】
本発明は、網膜疾患、特に黄斑部疾患の際の視力の改善を行う眼球内レンズ装置に関する。
【背景技術】
【０００２】
人間における視覚障害の頻度の高い原因は、眼底（網膜、脈絡膜および強膜）の病的な多数の変化である。これらの変化は、網膜の機能の低下を誘起する。網膜の問題は、入射する光刺激の神経知覚的な処理とこの光刺激の神経知覚的な更なる伝達である。病理学的に変化した網膜域においては、視覚が阻害されているか或いは機能せず、従ってこの場所にあっては結果として視野欠損が生起する。
【０００３】
通常の目は屈折作用を行う媒体（角膜およびレンズ）の助けにより、平行に黄斑部内に入射してくる光線を集光する。黄斑部は最も高い光学的な解像力を備えている目の後方の眼球極の周辺部の網膜域である。黄斑部が病的に変化した際、視力が著しく低下する。この病にかかった人は、読書或いは自動車の運転のような通常の行動を行うことは不可能である。何故なら、光線が自然の、生物学的なレンズを通して、病的に変化した黄斑部上に結像するからである。これにより、患者にとっては網膜中心窩に結像する対象物を認識することは不可能である。大抵の症例の場合、網膜もしくは黄斑部全体が阻害されることはなく、それどころかなおも健全な領域を有している。従って、視覚は光線が眼球内のレンズ装置により、この健全な網膜位置へと転向されることにより著しく改善される。
【０００４】
従来、黄斑部疾患の際の視力を改善するために設けられる多数の眼球内レンズ装置が知られている。
【０００５】
第一の特許文献には、中央の視野を喪失した患者における視界の改善のための眼球内レンズ装置が記載されている。このレンズ装置は網膜像を、プリズム状のくさび体により網膜の集光作用を行う部分へと移動させるためのレンズ装置である。
【０００６】
第二の特許文献には、上記の発明を、視覚能を目的物品からの色々な距離で可能にする眼球内レンズを使用することによって改善する技術が記載されている。網膜上で焦点を移動させるために、同様にプリズム状のくさび体が使用され、このくさび体は１．５−１．６の範囲の高い屈折率を有する材料から造られている。
【０００７】
第三の特許文献には、プリズム状の眼球内レンズ装置が図示されているが、この眼球内レンズ装置は、人間の目のレンズの代用として、中央の網膜領域（例えば黄斑部）を疾患している患者における白内障手術後の視力を改善するため、同心性のプリズムでもって補完して、目内に使用される。この装置は目内に導入されるので、この装置が滑動しないことが保証されなければならない。このことは公知の技術により、保持部材（ハプテイカ-Haptika) によって達せられる。しかし、誤滑動を阻止する他の固定装置も使用することが可能である。
【０００８】
上記の公知の技術による装置は、以下に述べるような欠点を有している。
１．特許文献１、特許文献２および特許文献３による装置にあっては、焦点を移動させる  様式での光学的な矯正作用を誘起するには、装置をかさばり、剛性でありかつ重量状態  の構造で構成しなければならない。このことに加えて、焦点の十分な移動のために比較  的高い（公知の技術により約１．５から１．６）屈折率を有している材料を使用しなけ  ればならない。
２．視力は非集光性（特許文献３）であるため極めて僅かな部分しか再製することができ  ない。環状の境界域はただ視野の明輝感を生じるにすぎない。
従って、これらの装置は僅かな数の患者にしか適用できず、これらの患者にあって、携  帯に不具合であり、適度な光学的な改善をもたらすにしかすぎない。
【特許文献１】米国特許第４，５８１，０３１号
【特許文献２】ヨーロッパ特許第０  ８９７  ２９３号
【特許文献３】ドイツ連邦共和国特許公開第１９７５１５０３号
【発明の開示】
【発明が解決しようとする課題】
【０００９】
こう言ったことから、本発明の根底をなす課題は、全体の大きさが比較的小さく、かつ患者の視力を最大可能な限り改善し、このことに加えて可能な限り十分に病像に適合可能なレンズ装置を提供することである。
【００１０】
所望の大きさに低減することにより、手術によって左右される合併症の発生を十分に少なくすることが可能となり、また患者の回復期を短縮することが可能となる。何故なら、外科医は目の中にレンズを導入するのに比較的短い切開を行う必要があるに過ぎないからである。特に眼球内光学機材の折畳み可能性により、切開長さを更に短縮することが可能となる。
【課題を解決するための手段】
【００１１】
上記の課題は、本発明により、請求項１によるレンズ装置によって解決される。図１は開発された、第一の実施例による装置を図示している。
【００１２】
この課題の解決にあって、相反する作用を有する二つの作用因子を考慮しなければならない。
一方では、目の幾何学的な形態に適合し得るように、装置の厚みを最小にしなければならない。他方では、像を網膜上の健全な領域に移動させるために、レンズ装置が一定の厚みを備えていなければならない。
【００１３】
本発明の主要原理は、−レンズ装置の一つ或いは多数の凸状の部分によって得られる−焦点を移動させるために、網膜の機能が阻害された領域から機能を有している領域へと、多数のくさび状の切欠き体をレンズ装置内に設け、この際これらのくさび状の切欠き体は傾斜している面を備えており、この傾斜している面は一つ或いは多数の焦点の移動を誘起する。
【００１４】
この場合、傾斜している面の傾斜角度は、切欠き体の傾斜している全ての面において等しくある必要はない。
【００１５】
レンズ装置の厚みの明白な低減が、多数のくさび状の切欠き体、例えば背面において、即ち網膜に面している側に、例えばフレスネル−レンズの様式で設けることによって達せられ、同時に焦点の十分な移動を調節することが可能となることを見いだしたことは驚異的なことである。
【００１６】
以下に記載した表は、使用し得る材料（１欄）の一定した屈折率にとって必要なプレズム角度（２欄）を示しており、次いで公知技術によるレンズ装置が眼球内レンズに本発明による装置を付け加えた厚み（３欄と４欄）を示している。例えばフレスネル−レンズによって起因する付加的な厚みは係数Ｎ（Ｎは周期の数を表す）だけ小さくなる。例えばＮ＝１０である場合、本発明による装置は係数１０だけ薄くなる。公知技術によるレンズ装置は平凸状で、典型的に６mmの直径を有しており、距離ａにおける焦点を有している。
【表１】
2007508875.tif 000003
【００１７】
必要とするプリズム角度は以下の式によって算出される（もちろん他の式もしくは近似値も存在している。）
d            n 1                                                       arcsin( ──)=arcsin( ──sin ε)-ε、
a             n 2 
式中、                                                                              ε：プリズムの角度（３６）
ｄ：網膜（４６）上の健全な所望の点に対する黄斑部（２２）の距離
ａ：眼球内レンズ（３０）の後方の面に対する黄斑部（２２）の距離
ｎ1 ：眼球内レンズ材料の屈折率
ｎ2 ：眼房水／硝子体の屈折率（典型的には１．３３６）
【００１８】
上記の表において、式は数値的に計算された。他の典型的なパラメータとして、
ｄ＝１．０ｍｍ；ａ＝１７．０ｍｍおよびｎ2 ＝１．３３６
を使用した。
【００１９】
眼球内レンズ装置の厚みは、比屈折率を有する一定の材料を選択することにより調整することが可能であり、この場合一定の像移動に必要な、例えばフレスネル−レンズ或いはくさび状の切欠き体の角度は、屈折率が高ければ小さい。
【００２０】
本発明による装置の更なる利点は、この装置が一実施例により一つの部分から形成されていることにあり、公知の技術による装置は多部分から形成されていて、多部分から成るレンズ装置は大抵移植にとって望ましい折畳み可能性（大きな手術傷（強膜トンネル(Skleratunnel-部分））を必要とせず、所望の相容性を有していないことから、体内異物としてのレンズ装置の移植と相容性にあって問題となる。。
【発明の効果】
【００２１】
眼球内レンズ装置の移植場所は目の色々な領域（前房室、後房室或いは自然レンズのカプセル）であることが可能である。移植場所に応じて、保持装置を相応して公知の技術に従って適応させることが可能である。
【発明を実施するための最良の形態】
【００２２】
以下に、図１から８に図示した実施の形態に関して本発明を詳細に説明する。
【実施例１】
【００２３】
図１は本発明による眼球内レンズ装置（３０）を備えている人間の目（１０）の断面図である。レンズ装置の対称軸線（４２）に対して平行に入射する光線（４０）はレンズ装置の凸状の前方部分によって焦点に集光され、くさび状の切欠き体（３２）の傾斜している面によって健全な網膜（２０）もしくは黄斑部（２２）上の新しい焦点（４６）に移動させられる。
【実施例２】
【００２４】
図２は図１による装置を図示しているが、この装置は
ａ）切欠き（３２）内での粒子或いは細胞の沈積を避けるため、
ｂ）レンズ装置を通過した後のレンズ装置における反射、従って網膜上のレンズ装置の散    乱入射を避けるために、
保護層（３４）を備えており、この保護層（３４）はこれに加えて反射防止剤を有している。
【００２５】
上記の構成は、外科技術的なおよび／またはレーザ技術による方法での後発白内障の手術も軽減する。通常の光線および変更された光線（３３，３４）は明白に認めることができる。この実施例にあっては、すべての切欠き体（３２）は等しい角度（３６）を有する傾斜した面を備えている。網膜とは反対側には、ＵＶ−保護−フイルム或いは−層（３８）が塗装されている。何故なら、最も新しい研究の成果によれば、レンズの混濁は明らかに病気であるばかりではなく、後方に存在している網膜のＵＶ−光線から保護体でもあることが分かったからである。
【実施例３】
【００２６】
図３は他の実施例を図示しているが、この実施例にあっては光学的な対称軸線の領域内に中央の光線照射が透過するのを妨げないように、切欠き体（３２）は設けられていない。
【実施例４】
【００２７】
図４は、実施例３による実施例を示しているが、しかし異なった傾斜角度（３６，３７）備えている実施例である。従って、異なった像部分を異なった強さでもって移動させることが可能である。
【実施例５】
【００２８】
図５は、本発明によるレンズ装置（３０）のすぐれた実施例を図示しているが、この実施例にあっては一方の側に少なくとも部分的に凸状のレンス部分（３３）の代わりに、フレスネル−レンズの同軸状の凸状の複数の扇形体（４８）が設けられており、他方の黄斑部（２２）に面している、相対する側にはくさび状の切欠き体が設けられている（この場合、フレスネル−レンズとプリズムの周期は互いに異なる。）。
【００２９】
一貫した、片面のみの凸状レンズに比して或いはこれらのレンズ部分に比して、更にレンズ装置の厚みを低減することが可能である。
【実施例６】
【００３０】
特に優れた（図示していない）実施例は、レンズ装置の黄斑部に面している側は平坦に形成されていて、かつ他方の側は、フレスネル−レンズの同軸状の凸状の扇形体（４８）に加えて、プリズム装置の傾斜して形成されたくさび状部を付加して設けた場合に可能であるような形状に形成された扇形体を備えており、従ってレンズ作用と焦点移動とがフレスネル部材内でまとめて行われる。この前方側は図５に図示されている。これにより、レンズ装置の厚みを更に低減することが可能となる。しかし、製造上の理由から、この実施例にあっては、装置を補強すること、および組合わされたフレスネル−レンズ部材の切欠き体を十分な厚みを有している材料ブロックから切出すのが有利である。
【実施例７】
【００３１】
図６は特別有利な実施例を図示している。この実施例にあっては、レンズ装置の前方部分に前房室(vordere Kammer)（５４）の部分として、曲率が変更可能な凸状レンズ部材が設けられている。このレンズ部材は、例えばポンプ給送手段をレンズ装置に設けた場合、例えば房室水（Kammerflussigkeit)の、或いは被覆材料および／または眼房水(Kammerflussigkeit) の屈折率に調節された液体の供給および排出により或いは容積変更手段により曲率の変更を可能にする。
【実施例８】
【００３２】
図７は他の特に有利な実施例を図示しているが、この実施例にあっては第二の後方の房室（５５）が、第一の房室（５４）から壁部（５６）によって隔離されて、設けられている。この房室内には、図７に示すように、弾性的な透明な被覆体（５３）が設けられている。この第二の房室の一部分を、多数のくさび状の切欠き体（３２）のための透明担持体（６７）が形成しており、この担持体は第一の前方レンズ部分或いは前房室（５４）に対して回転部材（４９）により回転可能に支承されている。弾性的な部材は担持体（６７）と結合されており、この担持体（６７）が後方の房室（５５）の残余部分から回転して離間しないように固定されている。この際、くさび状部の垂直な面部分は光学軸線に対する平行な位置から脱出するのが回避され、従ってこの面部分は“光学光線路”には関与しない。
【００３３】
例えば第一の前方被覆体のためのものと同一なポンプ給送手段による、例えば房室水或いは被覆材料および／または眼房水の屈折率に調節された液体の供給と排出により、後方の担持体は、房室（５５）内に設けられている弾性的な被覆体（５３）内の容積増大により、光学軸線に方向に傾斜するように変更可能に構成することが可能であり、従ってくさび状の切欠き体（３２）の可変の傾斜は、焦点の比較的大きい或いは比較的小さな移動を誘起する。
【実施例９】
【００３４】
図８は更なる実施例の一部分を図示しており、この実施例にあっては第二の後方の房室（５５）内に弾性的な被覆体は設けられていない。くさび状の切欠き体にはそれぞれ一つの可動の透明な傾斜した面が設けられており、この面は回転部材（４９）により回転可能に支承されている。これらの傾斜されて可動に支承されている面の各々には弾性的な部材（５０）が設けられている。この場合、これらの傾斜されて可動に支承されている面の回転は、所属しているポンプ給送手段により後方の房室（５５）の内圧が増大した際に行われる。図７に図示した実施例に比して、この実施例にあっては、−回転していない状態にあっては水平な−かつ光学軸線に対して平行に指向している部材の回転の補正を補正する必要がないのが有利である。
【００３５】
ポンプ給送手段としては、例えば構造が矮小化されていてかつ音響上の表面波の現象を、場合によっては粘着力の支援の下に利用する手段が使用される。このようなポンプ給送手段は現在（２００３年現在）、例えばドイツ連邦共和国８５６４９  ブルンタール在Ａｄｖａｌｙｔｉｘ  ＡＧ社において入手することが可能である。この場合、特にその動力消費量が眼球内を覆っている圧力に関する尺度であるようなポンプ給送手段を使用するのが有利である。こうして、眼内圧はポンプ給送手段の給送出力を測定することにより外部から測定することが可能である。
【００３６】
容積変更手段或いはポンプ給送手段のためのエネルギー供給手段として、例えば電子的なおよび／または磁石の磁場による患者の体外からのエネルギー供給のための、移植したバッテリー或いは受信器および／または変換器を設けることが可能である。容積変更手段の媒体として、眼球内に存在している房室水のほか、透明な媒体、例えば非液状媒体も使用することができ、この媒体はその屈折率が房室壁部および／または弾性的な被覆体（５３）の屈折率に適合されている。
【００３７】
当業者にとって直ちに認め得るように、くさび状の切欠き体或いは凸状レンズ部分或いはフレスネル−レンズの扇形体を有していない代わりに、例えば近視界域矯正のためのレンズのような他の光学的な手段を設けらることも可能である。他の光学的手段は、もちろん−本発明により達せられるレンズ装置の厚みの低減に基づいて−本発明によるレンズ装置の前方或いは後方において光線路内に設けることが可能となる。このことに加えて、フレスネル−レンズ自体がその自在なデザインにより、球形の或いはまた非球形の異なった曲率を備えており、これにより例えば同時に近視界域および遠視界域に関して多焦点作用を達するために、付加的な光学的な効果を達することが可能となる。
【産業上の利用可能性】
【００３８】
本発明によるレンズ装置により、そのコンパクト性、厚みの著しい低減等により、黄斑部の疾患による、視力の低下の矯正を可能な限り良好に行うことができる。
【図面の簡単な説明】
【００３９】
【図１】第一の実施例による本発明によるレンズ装置（３０）を備えている人間の眼の断面図である。
【図２】更に保護層（３４）を備えている、図１の詳細図である。
【図３】装置の黄斑部（２２）に面している側面の平滑な扇形体を備えている実施例である。
【図４】二つの異なった傾斜角度（３６．３７）を備えている他の実施例の図である。
【図５】特に優れている実施例であって、この実施例にあってはレンズ装置の凸状部分として、フレスネル−レンズ（４８）の扇形体がレンズ装置の前方部分に、そしてくさび状の切欠き体（３２）がレンズ装置の黄斑部に所属している後方部分に設けられている。レンズ装置は一貫した厚いレンズとして示されている。
【図６】他の有利な実施例であり、この実施例はレンズは壁部の二つの別個の房室に分割されている。−第一の房室、即ちレンズ装置の前方部分が弾性の透明な部材で構成されており、従って凸状の部分の曲率とこれに伴い焦点距離が変更可能である。−  第二の房室は、くさび状の切欠き体の透明な担持体がこのくさび状の切欠き体に対して回転可能に設けられており、この場合この回転は弾性的な部材の予緊張力に抗して行われる。従って、切欠き体の傾斜した面の傾斜は変更可能である。回転は、独自の回転駆動機構により直接的に回転部材（４９）内で或いは光透過性の液体を第二の房室に供給することにより行われ、従って房室内の或いはその中に設けられている被覆体の内圧が上昇することにより、圧力が切欠き体の回転可能な担持体に作用する。
【図７】他の有利な実施例であり、この実施例はレンズは壁部の二つの別個の房室に分割されている。−第一の房室、即ちレンズ装置の前方部分が弾性の透明な部材で構成されており、従って凸状の部分の曲率とこれに伴い焦点距離が変更可能である。−  第二の房室は、くさび状の切欠き体の透明な担持体がこのくさび状の切欠き体に対して回転可能に設けられており、この場合この回転は弾性的な部材の予緊張力に抗して行われる。従って、切欠き体の傾斜した面の傾斜は変更可能である。回転は、独自の回転駆動機構により直接的に回転部材（４９）内で或いは光透過性の液体を第二の房室に供給することにより行われ、従って房室内の或いはその中に設けられている被覆体の内圧が上昇することにより、圧力が切欠き体の回転可能な担持体に作用する。
【図８】他の有利な実施例を図示しているが、この実施例にあってはくさび状の切欠き体は、それぞれ回転可能な、可動の、透明なかつ傾斜した面を有している。これらの回転可能な傾斜した面の各々には、回転に抗して予緊張されている弾性部材が設けられている。
【符号の説明】
【００４０】
１０  目
１２  角膜
１４  虹彩
１６  毛様の溝
２０  網膜（ラテイナ）
２２  黄斑部
２４  硝子体
２６  視神経
３０  レンズ装置或いは眼球内レンズ
３１  ハプテイク−フック（Haptik-Haken) （保持部）
３２  くさび状の切欠き体
３３  標準レンズの凸面レンズ部分
３４  保護層
３６  プリズム角度
３７  第二のプリズム角度
３８  ＵＶ−保護−フイルム
４０  入射光
４２  眼球内レンズ装置の対称軸線
４３  目内の通常の光線路
４４  集光されかつ転向された光線
４６  健全な網膜上の新しい、移動させられた焦点
４８  フレスネル−レンズの扇形体
４９  回転部材
５０  弾性的部材
５１  容積変更手段
５２  ポンプ給送手段
５３  弾性的な透明な被覆体
５４  第一の前房室
５５  第二の後方房室
５６  壁部
６６  弾性的な、凸状レンズ部分
６７  切欠き体（３２）のための担持部材
６８  透明な液体
６９  供給路、排出路
【図１】
2007508875.tif 000004
【図２】
2007508875.tif 000005
【図３】
2007508875.tif 000006
【図４】
2007508875.tif 000007
【図５】
2007508875.tif 000008
【図６】
2007508875.tif 000009
【図７】
2007508875.tif 000010
【図８】
2007508875.tif 000011
【国際調査報告】
2007508875.tif 000012
2007508875.tif 000013
2007508875.tif 000014
2007508875.tif 000015
2007508875.tif 000016
2007508875.tif 000017